(57)【要約】【課題】蝶ネクタイをワンタッチで容易に装着することができる蝶ネクタイ用ネクタイ止め具を提供すること。【解決手段】蝶ネクタイ用ネクタイ止め具１は、正面から視て左右方向に延びる弾性変形可能な板状体で形成され、蝶ネクタイが装着される本体１０と、本体１０の背面側に設けられ、本体１０との間に隙間を空けて、本体１０に接続され、シャツの左右の襟の下に差し込まれる突起部２０と、突起部２０に接続され、垂直断面が略逆Ｕ字形状に形成され、シャツの襟元に引っ掛けられるフック部３０と、を備え、本体１０は、正面から視て左右方向に配列された第１部材１１と第２部材１２とを有し、第１部材１１と第２部材１２とは、互いに着脱自在に係合し、第１部材１１は、第２部材１２との係合が解除された状態において、蝶ネクタイの結び目の輪の中に挿通される。【選択図】図１
0003176272.tif 000002
【実用新案登録請求の範囲】
【請求項１】
予め結び目が形成された蝶ネクタイが装着されて、シャツの襟元に着脱自在に取り付けられる蝶ネクタイ用ネクタイ止め具であって、
正面から視て左右方向に延びる弾性変形可能な板状体で形成され、前記蝶ネクタイが装着される本体と、
前記本体の背面側に設けられ、前記本体との間に隙間を空けて、前記本体に接続された中央片と、前記中央片の左右の端部から夫々斜め上方に延出し、棒状体に形成された一対の差し込み片とを有し、前記一対の差し込み片が前記シャツの左右の襟の下に差し込まれる突起部と、
前記突起部の前記中央片に接続され、垂直断面が略逆Ｕ字形状に形成され、シャツの襟元に引っ掛けられるフック部と、を備え、
前記本体は、正面から視て左右方向に配列された第１部材と第２部材とを有し、
前記第１部材と前記第２部材とは、互いに着脱自在に係合し、
前記第１部材は、前記第２部材との係合が解除された状態において、前記蝶ネクタイの前記結び目の輪の中に挿通される蝶ネクタイ用ネクタイ止め具。
【考案の詳細な説明】
【技術分野】
【０００１】
本考案は、蝶ネクタイ用ネクタイ止め具に関し、特に予め結び目が形成された蝶ネクタイが装着されて、シャツの襟元に着脱自在に取り付けられる蝶ネクタイ用ネクタイ止め具に関する。
【背景技術】
【０００２】
ネクタイには、大剣部、ネックバンド及び小剣部からなるネクタイ（以下、「通常のネクタイ」と言う）と、結んだ後の形状が結び目にリボンが通された形状となる蝶ネクタイ（以下、「蝶ネクタイ」と言う）とがある。
従来、通常のネクタイの着用を簡略化するには、ネクタイ止め具が用いられる。このネクタイ止め具は、樹脂製の本体に予め通常のネクタイが固定されている。ところが、この従来のネクタイ止め具は、予め通常のネクタイが固定されているため、使用者は、自ら選択した通常のネクタイをネクタイ止め具に装着することができなかった。
【０００３】
そこで、中央部が前面に向かって凸円弧状に湾曲した本体と、この本体の両側から斜め上方に突出する一対の差し込み片と、本体の前面に設けられ上下方向に開口するネクタイ通し部と、前記本体の裏面に設けられ本体から逆Ｕ字状に突出するフック部とを具備したことを特徴とするネクタイ止め具が提案されている（特許文献１を参照）。
【０００４】
この特許文献１のネクタイ止め具によれば、大剣部、ネックバンド及び小剣部からなる通常のネクタイの表面を手前側にして小剣部をネクタイ通し部の上側を通し、その小剣部を引き上げて本体からの大剣部の長さを好みの長さに調節する。次に、ネックバンドを左側の差し込み片に後側から前側に１回絡め、さらに本体の前面を覆うように横方向に渡して右側に導き、右側の差し込み片に前側から後側に１回絡める。さらに、小剣部を本体の上辺部を通ってネクタイ通し部の上側から下側に通すと、小剣部が大剣部の裏側に重なって通常のネクタイがネクタイ止め具に結ばれる。
これにより、通常のネクタイの結び目が程よく前方に膨出し、しかもネクタイ通し部にネクタイを通すことにより結び目が緩み難く、さらに、市販の通常のネクタイをそのままネクタイ止め具に結び付けることができる。
【先行技術文献】
【特許文献】
【０００５】
【特許文献１】登録実用新案第３０６２８４９号公報
【考案の概要】
【考案が解決しようとする課題】
【０００６】
ところで、蝶ネクタイには、着用を簡略化するために、予め結び目が形成された蝶ネクタイの結び目に、長さ調節機能を有するバンドが通されたバンド型蝶ネクタイがある。バンド型蝶ネクタイを使用する場合、使用者は、まず、バンドを自分の襟周りの長さに調節し、シャツの襟を立て、襟周りにバンドを廻し、バンドの一端と他端をフックで固定し、シャツの襟を元に戻す。このように、蝶ネクタイは、バンド型蝶ネクタイを使用することで、着用をある程度簡略化できるものの、バンドを自分の襟周りの長さに調節したり、シャツの襟を立てたり戻したり、自分の目で見ることができない襟元でバンドの一端と他端をフックで固定したり、と着用に手間がかかっていた。
【０００７】
本考案は、蝶ネクタイをワンタッチで容易に装着することができる蝶ネクタイ用ネクタイ止め具を提供することを目的とする。
【課題を解決するための手段】
【０００８】
予め結び目が形成された蝶ネクタイが装着されて、シャツの襟元に着脱自在に取り付けられる蝶ネクタイ用ネクタイ止め具であって、正面から視て左右方向に延びる弾性変形可能な板状体で形成され、前記蝶ネクタイが装着される本体と、前記本体の背面側に設けられ、前記本体との間に隙間を空けて、前記本体に接続された中央片と、前記中央片の左右の端部から夫々斜め上方に延出し、棒状体に形成された一対の差し込み片とを有し、前記一対の差し込み片が前記シャツの左右の襟の下に差し込まれる突起部と、前記突起部の前記中央片に接続され、垂直断面が略逆Ｕ字形状に形成され、シャツの襟元に引っ掛けられるフック部と、を備え、前記本体は、正面から視て左右方向に配列された第１部材と第２部材とを有し、前記第１部材と前記第２部材とは、互いに着脱自在に係合し、前記第１部材は、前記第２部材との係合が解除された状態において、前記蝶ネクタイの前記結び目の輪の中に挿通される蝶ネクタイ用ネクタイ止め具。
【０００９】
本考案によれば、使用者は、まず、本体の第１部材と第２部材との係合を解除する。そして、使用者は、第１部材を、予め結び目が形成された蝶ネクタイの結び目の輪の中に挿通する。次に、使用者は、第１部材と第２部材とを係合させる。そして、使用者は、一対の差し込み片をシャツの左右の襟の下に差し込むとともに、フック部をシャツの襟元に引っ掛ける。
【００１０】
このように、使用者は、蝶ネクタイの結び目の輪の中に、蝶ネクタイ用ネクタイ止め具の第１部材を挿通し、第１部材と第２部材とを係合させ、蝶ネクタイ用ネクタイ止め具をシャツに着けるだけで、蝶ネクタイを装着できる。即ち、使用者は、蝶ネクタイを装着するときに、バンドの長さを自分の襟周りの長さに合わせたり、シャツの襟を立てたり戻したり、自分の目が届かないところでバンドのフックを固定したり、といった手間を省略できる。
したがって、蝶ネクタイをワンタッチで容易に装着することができる。
【考案の効果】
【００１１】
本考案によれば、蝶ネクタイをワンタッチで容易に装着することができる蝶ネクタイ用ネクタイ止め具を提供できる。
【図面の簡単な説明】
【００１２】
【図１】本考案の一実施形態に係る蝶ネクタイ用ネクタイ止め具の斜視図である。
【図２】前記実施形態に係る蝶ネクタイ用ネクタイ止め具を示す図である。（ａ）は、蝶ネクタイ用ネクタイ止め具の平面図である。（ｂ）は、蝶ネクタイ用ネクタイ止め具の正面図である。
【図３】図２の中心線Ｃにおける、前記実施形態に係る蝶ネクタイ用ネクタイ止め具の断面図である。
【図４】前記実施形態に係る第１部材係合部と第２部材係合部とを説明する図である。（ａ）は、第１部材係合部と第２部材係合部との係合が解除された状態を示す図である。（ｂ）は、第１部材係合部と第２部材係合部とが係合された状態を示す図である。
【図５】前記実施形態に係る本体の第１部材を蝶ネクタイの結び目の輪の中に挿通した状態を示す図である。
【図６】前記実施形態に係る蝶ネクタイ用ネクタイ止め具をワイシャツに装着した状態を示す図である。
【考案を実施するための形態】
【００１３】
本考案の実施形態に係る蝶ネクタイ用ネクタイ止め具１の構成を図面に基づいて説明する。図１は、本考案の一実施形態に係る蝶ネクタイ用ネクタイ止め具１の斜視図である。
図２は、前記実施形態に係る蝶ネクタイ用ネクタイ止め具１を示す図である。（ａ）は、蝶ネクタイ用ネクタイ止め具１の平面図である。（ｂ）は、蝶ネクタイ用ネクタイ止め具１の正面図である。
図３は、図２の中心線Ｃにおける、前記実施形態に係る蝶ネクタイ用ネクタイ止め具１の断面図である。
【００１４】
蝶ネクタイ用ネクタイ止め具１は、蝶ネクタイが装着される本体１０と、本体１０の背面側に設けられ、ワイシャツの左右の襟の下に差し込まれる突起部２０と、突起部２０の背面側略中央に設けられ、ワイシャツの襟元に引っ掛けられるフック部３０と、を備える。
【００１５】
本体１０は、水平断面が正面方向に膨らむ円弧状に形成され、正面から視て左右方向に延びる弾性変形可能な板状体（例えば、プラスチック等の樹脂製の板状体）で形成されている。
また、本体１０は、少なくとも本体１０を水平方向に２分する中心線Ｃ近傍部分における上下方向の幅が等幅に形成されている。なお、本体１０は、中心線Ｃ近傍部分の上下方向の幅を、他の部分に比べ大きくしてもよい。これにより、使用者は、本体１０を、蝶ネクタイの結び目の輪の中に挿通し、蝶ネクタイを本体１０の中心に配置する。すると、本体１０の近傍部分が蝶ネクタイの結び目の輪を内側から押圧するので、蝶ネクタイが本体１０の中心からズレるのを防止できる。
【００１６】
また、本体１０は、正面から視て左右方向に配列され、正面視左端が突起部２０と接続し、蝶ネクタイの結び目の輪の中に挿通される第１部材１１と、第１部材１１と係合し、正面視右端が突起部２０と接続する第２部材１２とを有する。第１部材１１と第２部材１２とは、中心線Ｃより正面視右側で係合する。即ち、第１部材１１の正面視左右方向の幅は、第２部材１２の正面視左右方向の幅より長く形成されている。なお、第１部材１１と第２部材１２とは、正面視左右方向の幅を同じに形成してもよい。
【００１７】
第１部材１１には、正面視右端側に第２部材１２と係合する第１部材係合部１１０が形成されている。
第２部材１２には、正面視左端側に第１部材１１と係合する第２部材係合部１２０が形成されている。
【００１８】
図４は、前記実施形態に係る第１部材係合部１１０と第２部材係合部１２０とを説明する図である。図４（ａ）は、第１部材係合部１１０と第２部材係合部１２０との係合が解除された状態を示す図である。図４（ｂ）は、第１部材係合部１１０と第２部材係合部１２０とが係合された状態を示す図である。
【００１９】
第１部材係合部１１０は、第１部材１１の正面側において略半分の厚さで形成され先端が鋭角である爪１１１と、第１部材１１の背面側において爪１１１と隣接し、爪１１１の基端側が鋭角に形成された欠き込み１１２と、爪１１１の背面側表面に形成され、略直方体形状の空間を形成する穴１１３と、を備える。
【００２０】
第２部材係合部１２０は、第２部材１２の背面側において略半分の厚さで形成され先端が鋭角であり、第１部材係合部１１０の欠き込み１１２と係合する爪１２１と、第２部材１２の正面側において爪１２１と隣接し、爪１２１の基端側が鋭角に形成され、第１部材係合部１１０の爪１１１と係合する欠き込み１２２と、爪１２１の正面側表面に形成され、略直方体に形成され、第１部材係合部１１０の穴１１３と係合する突起１２３と、を備える。
【００２１】
第１部材１１と第２部材１２とは、第１部材係合部１１０と第２部材係合部１２０とが互いに係合することで、係合する。即ち、第１部材係合部１１０の欠き込み１１２と第２部材係合部１２０の爪１２１とが係合し、第１部材係合部１１０の爪１１１と第２部材係合部１２０の欠き込み１２２とが係合し、第１部材係合部１１０の穴１１３と第２部材係合部１２０の突起１２３とが係合することで、第１部材１１と第２部材１２とが互いに係合する。
【００２２】
図１乃至図３に戻って、突起部２０は、本体１０の背面側に配置され、本体１０との間に隙間Ｓを空けて、本体１０の左右端部に接続された中央片２１と、中央片２１の左右の端部から夫々上方に延出し、中心線Ｃに対して互いに線対称に配置され、棒状体に形成された、差し込み片２２ａ及び差し込み片２２ｂと、を有する。
【００２３】
中央片２１は、水平断面が正面方向に膨らむ、本体１０と略同一形状の円弧状に形成され、蝶ネクタイが装着された状態において、蝶ネクタイの背後に隠れる。
差し込み片２２ａは、正面から視て、右斜め背面方向に延びる。差し込み片２２ｂは、正面から視て、左斜め背面方向に延びる。
【００２４】
フック部３０は、突起部２０の中央片２１の下端に、基端が接続され、水平方向に延出する爪支承体３１と、爪支承体３１の先端に接続され、正面から視て、斜め背面方向に延びて、頂点で折り返して、垂直断面が略逆Ｕ字形状に形成された爪部３２とを有する。
【００２５】
次に、本考案の実施形態に係る蝶ネクタイ用ネクタイ止め具１の使用手順について説明する。
図５は、前記実施形態に係る本体１０の第１部材１１を蝶ネクタイ５０の結び目５１の輪の中に挿通した状態を示す図である。
図６は、前記実施形態に係る蝶ネクタイ用ネクタイ止め具１をワイシャツに装着した状態を示す図である。
使用者は、まず、本体１０の第１部材１１と第２部材１２との係合を解除する。そして、図５に示すように、使用者は、第１部材１１を、予め結び目が形成された蝶ネクタイ５０の結び目５１の輪の中に挿通する。次に、使用者は、第１部材と第２部材とを係合させる。そして、図６に示すように、使用者は、一対の差し込み片２２ａ及び差し込み片２２ｂをワイシャツの左右の襟６０の下に差し込むとともに、フック部３０をワイシャツの襟元に引っ掛ける。
【００２６】
よって、本考案の実施形態に係る蝶ネクタイ用ネクタイ止め具１によれば、使用者は、蝶ネクタイ５０の結び目５１の輪の中に、蝶ネクタイ用ネクタイ止め具の第１部材１１を挿通し、第１部材１１と第２部材１２とを係合させ、蝶ネクタイ用ネクタイ止め具１をワイシャツに着けるだけで、蝶ネクタイ５０を装着できる。即ち、使用者は、蝶ネクタイ５０を装着するときに、バンド型蝶ネクタイを装着するときのように、バンドの長さを自分の襟周りの長さに合わせたり、シャツの襟を立てたり戻したり、自分の目が届かないところでバンドのフックを固定したり、といった手間を省略できる。
したがって、蝶ネクタイをワンタッチで容易に装着することができる。
【００２７】
なお、本考案は前記実施形態に限定されるものではなく、本考案の目的を達成できる範囲での変形、改良等は本考案に含まれるものである。
【符号の説明】
【００２８】
１      蝶ネクタイ用ネクタイ止め具
１０    本体
１１  第１部材
１２  第２部材
２０    突起部
２１    中央片
２２ａ,２２ｂ  差し込み片
３０    フック部
【図１】
0003176272.tif 000003
【図２】
0003176272.tif 000004
【図３】
0003176272.tif 000005
【図４】
0003176272.tif 000006
【図５】
0003176272.tif 000007
【図６】
0003176272.tif 000008